(57)【要約】      （修正有）【課題】生地および生地の接合部分の伸縮性に優れ、着心地のよい衣料を提供する。【解決手段】第１の生地１０、第２の生地２０および帯状部材３０を有する衣料であって、第１の生地は後ろ身頃にあり、第２の生地は前身頃にあり、前身頃および前記後ろ身頃の少なくとも一方は、袖ぐりの下部から第１の生地と前記第２の生地の境界の少なくとも一部に、第１の生地と前記第２の生地の少なくとも一方よりも第１の生地と前記第２の生地の境界線に平行な方向（境界線平行方向）に直交する方向（境界線直交方向）の伸び率が大きい生地を有し、帯状部材は、第１の生地と前記第２の生地の少なくとも一方の袖ぐりに沿って配置されていることを特徴とする衣料。【選択図】図５
2019199664.tif 000002
【特許請求の範囲】
【請求項１】
第１の生地、第２の生地および帯状部材を有する衣料であって、
前記第１の生地は後ろ身頃にあり、前記第２の生地は前身頃にあり、
前記帯状部材は、前記第１の生地と前記第２の生地に沿って配置されており、
前記第１の生地と前記第２の生地の少なくとも一方は、前記第１の生地と前記第２の生地の境界線に平行な方向（以下、「境界線平行方向」と記載する）の伸び率よりも、前記境界線に平行な方向に直交する方向（以下、「境界線直交方向」と記載する）の伸び率が大きく、
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式の解であるｋｔｘとｋｔｙは、ｋｔｘ＞ｋｔｙの関係にあり、
上記式の解であるｋｂ１ｘ、ｋｂ１ｙ、ｋｂ２ｘ、およびｋｂ２ｙは、ｋｂ１ｘ＜ｋｂ１ｙとｋｂ２ｘ＜ｋｂ２ｙの少なくとも一方の関係にあることを特徴とする衣料。
上記式中、
Ｆｘは、前記帯状部材へ前記第１の生地および前記第２の生地が積層された部分（以下、「積層部分」と記載する）に対して前記境界線直交方向に加わる荷重（Ｎ）、
Ｌｘは、前記積層部分に対して前記境界線直交方向に荷重を加えた際の変位（ｍｍ）、
Ｆｙは、前記積層部分に対して前記境界線平行方向に加わる荷重（Ｎ）、
Ｌｙは、前記積層部分に対して前記境界線平行方向に荷重を加えた際の変位（ｍｍ）、
Ｆｂ１ｘは、前記第１の生地に対して前記境界線直交方向に加わる荷重（Ｎ）、
Ｌｂ１ｘは、前記第１の生地に対して前記境界線直交方向に荷重を加えた際の変位（ｍｍ）、
Ｆｂ２ｘは、前記第２の生地に対して前記境界線直交方向に加わる荷重（Ｎ）、
Ｌｂ２ｘは、前記第２の生地に対して前記境界線直交方向に荷重を加えた際の変位（ｍｍ）、
Ｆｂ１ｙは、前記第１の生地に対して前記境界線平行方向に加わる荷重（Ｎ）、
Ｌｂ１ｙは、前記第１の生地に対して前記境界線平行方向に荷重を加えた際の変位（ｍｍ）、
Ｆｂ２ｙは、前記第２の生地に対して前記境界線平行方向に加わる荷重（Ｎ）、
Ｌｂ２ｙは、前記第２の生地に対して前記境界線平行方向に荷重を加えた際の変位（ｍｍ）をそれぞれ示す。
【請求項２】
前記式の解であるｋｔｘと、ｋｂ１ｘおよびｋｂ２ｘは、ｋｔｘ＞ｋｂ１ｘとｋｔｘ＞ｋｂ２ｘの少なくとも一方の関係にある請求項１に記載の衣料。
【請求項３】
前記式の解であるｋｔｘとｋｔｙの比は、１．５以上である請求項１または２に記載の衣料。
但し、前記式の解であるｋｔｘとｋｔｙの比＝ｋｔｘ／ｋｔｙ
【請求項４】
前記第１の生地と前記第２の生地の少なくとも一方は、前記境界線直交方向の伸び率と前記境界線平行方向の伸び率との比が１．５以上である請求項１〜３のいずれか一項に記載の衣料。
但し、前記境界線直交方向の伸び率と、前記境界線平行方向の伸び率との比＝前記境界線直交方向の伸び率［％］／前記境界線平行方向の伸び率［％］
【請求項５】
第１の生地、第２の生地および帯状部材を有する衣料であって、
前記第１の生地は後ろ身頃にあり、前記第２の生地は前身頃にあり、
前記前身頃および前記後ろ身頃の少なくとも一方は、袖ぐりの下部から前記第１の生地と前記第２の生地の境界の少なくとも一部に、前記第１の生地と前記第２の生地の少なくとも一方よりも前記第１の生地と前記第２の生地の境界線に平行な方向（以下、「境界線平行方向」と記載する）に直交する方向（以下、「境界線直交方向」と記載する）の伸び率が大きい生地を有し、
前記帯状部材は、前記第１の生地と前記第２の生地の少なくとも一方の袖ぐりに沿って配置されていることを特徴とする衣料。
【請求項６】
前記第１の生地と前記第２の生地の少なくとも一方は、複数の編み組織を有している請求項５に記載の衣料。
【請求項７】
前記後ろ身頃の中央部に、前記第１の生地よりも前記境界線直交方向の伸び率が大きい生地を有している請求項５または６に記載の衣料。
【請求項８】
着用時に肘部に位置する部分に、袖の長手方向に直交する方向の伸び率よりも前記袖の長手方向の伸び率が大きい長手直交方向伸張部を有しており、
前記長手直交方向伸張部の、前記袖の長手方向の上下両側に、前記袖の長手方向の伸び率よりも前記袖の長手方向に直交する方向の伸び率が大きい長手方向伸張部を有している請求項５〜７のいずれか一項に記載の衣料。
【請求項９】
袖筒を有しており、
前記袖筒は、リブ編み部を含み、
前記リブ編み部の畦の長手方向は、前記袖筒の軸方向に非平行となっている請求項８に記載の衣料。
【請求項１０】
外衣または中衣である請求項１〜９のいずれか一項に記載の衣料。
【請求項１１】
前記第１の生地と前記第２の生地は、溶着により接合されており、
当該接合部分に前記帯状部材が貼付されている請求項１〜１０のいずれか一項に記載の衣料。
【発明の詳細な説明】
【技術分野】
【０００１】
本発明は衣料に関するものであり、詳細には第１の生地、第２の生地および帯状部材を有し、帯状部材が第１の生地と第２の生地に沿って配置されている衣料に関するものである。
【背景技術】
【０００２】
従来、複数の生地を糸や針を用いずに接合し、無縫製で製造される無縫製衣服（例えば、特許文献１〜２参照）が知られている。このような無縫製衣服は、針を使用していないため衣服に折れ針が混入することがない点や、生地を接着や溶着によって接合するため衣服の製造が容易であるという利点がある。
【先行技術文献】
【特許文献】
【０００３】
【特許文献１】特開２００７−１６２１９６号公報
【特許文献２】特開２００８−１０１３０４号公報
【発明の概要】
【発明が解決しようとする課題】
【０００４】
しかし、特許文献１〜２に記載されているような構造の衣服では、生地の接合部分の伸縮性が乏しく、衣服が着用者の身体に十分に追従しないことがある。そのため、走ったり跳躍したりする等の運動時において、衣服が引きつったりすること等による違和感があり、更に改善の余地があると考えられる。また、特許文献１〜２に記載されているような構造の衣服は、生地の接合部分の肌当たりが悪く、着心地のよい衣服が求められている。
【０００５】
本発明は、前記の事情に鑑みてなされたものであり、その目的は、生地および生地の接合部分の伸縮性に優れ、着心地のよい衣料を提供することにある。
【課題を解決するための手段】
【０００６】
前記課題を解決することができた本発明の衣料は、第１の生地、第２の生地および帯状部材を有する衣料であって、第１の生地は後ろ身頃にあり、第２の生地は前身頃にあり、帯状部材は、第１の生地と第２の生地に沿って配置されており、第１の生地と第２の生地の少なくとも一方は、第１の生地と第２の生地の境界線に平行な方向（以下、「境界線平行方向」と記載する）の伸び率よりも、境界線に平行な方向に直交する方向（以下、「境界線直交方向」と記載する）の伸び率が大きく、
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式の解であるｋｔｘとｋｔｙは、ｋｔｘ＞ｋｔｙの関係にあり、上記式の解であるｋｂ１ｘ、ｋｂ１ｙ、ｋｂ２ｘ、およびｋｂ２ｙは、ｋｂ１ｘ＜ｋｂ１ｙとｋｂ２ｘ＜ｋｂ２ｙの少なくとも一方の関係にあることを特徴とするものである。
上記式中、Ｆｘは帯状部材へ第１の生地および第２の生地が積層された部分（以下、「積層部分」と記載する）に対して境界線直交方向に加わる荷重（Ｎ）、Ｌｘは積層部分に対して境界線直交方向に荷重を加えた際の変位（ｍｍ）、Ｆｙは積層部分に対して境界線平行方向に加わる荷重（Ｎ）、Ｌｙは積層部分に対して境界線平行方向に荷重を加えた際の変位（ｍｍ）、Ｆｂ１ｘは第１の生地に対して境界線直交方向に加わる荷重（Ｎ）、Ｌｂ１ｘは第１の生地に対して境界線直交方向に荷重を加えた際の変位（ｍｍ）、Ｆｂ２ｘは第２の生地に対して境界線直交方向に加わる荷重（Ｎ）、Ｌｂ２ｘは第２の生地に対して境界線直交方向に荷重を加えた際の変位（ｍｍ）、Ｆｂ１ｙは第１の生地に対して境界線平行方向に加わる荷重（Ｎ）、Ｌｂ１ｙは第１の生地に対して境界線平行方向に荷重を加えた際の変位（ｍｍ）、Ｆｂ２ｙは第２の生地に対して境界線平行方向に加わる荷重（Ｎ）、Ｌｂ２ｙは第２の生地に対して境界線平行方向に荷重を加えた際の変位（ｍｍ）をそれぞれ示す。
【０００７】
上記の衣料において、前記式の解であるｋｔｘと、ｋｂ１ｘおよびｋｂ２ｘは、ｋｔｘ＞ｋｂ１ｘとｋｔｘ＞ｋｂ２ｘの少なくとも一方の関係にあることが好ましい。
【０００８】
上記の衣料において、前記式の解であるｋｔｘとｋｔｙの比は、１．５以上であることが好ましい。但し、前記式の解であるｋｔｘとｋｔｙの比＝ｋｔｘ／ｋｔｙ
【０００９】
上記の衣料において、第１の生地と第２の生地の少なくとも一方は、境界線直交方向の伸び率と境界線平行方向の伸び率との比が１．５以上であることが好ましい。但し、境界線直交方向の伸び率と、境界線平行方向の伸び率との比＝境界線直交方向の伸び率［％］／境界線平行方向の伸び率［％］
【００１０】
また、前記課題を解決することができた本発明の衣料は、第１の生地、第２の生地および帯状部材を有する衣料であって、第１の生地は後ろ身頃にあり、第２の生地は前身頃にあり、前身頃および後ろ身頃の少なくとも一方は、袖ぐりの下部から第１の生地と第２の生地の境界の少なくとも一部に、第１の生地と第２の生地の少なくとも一方よりも第１の生地と第２の生地の境界線に平行な方向（以下、「境界線平行方向」と記載する）に直交する方向（以下、「境界線直交方向」と記載する）の伸び率が大きい生地を有し、帯状部材は、第１の生地と第２の生地の少なくとも一方の袖ぐりに沿って配置されていることを特徴とするものである。
【００１１】
上記の衣料において、第１の生地と第２の生地の少なくとも一方は、複数の編み組織を有していることが好ましい。
【００１２】
上記の衣料において、後ろ身頃の中央部に、第１の生地よりも境界線直交方向の伸び率が大きい生地を有していることが好ましい。
【００１３】
上記の衣料において、着用時に肘部に位置する部分に、袖の長手方向に直交する方向の伸び率よりも袖の長手方向の伸び率が大きい長手直交方向伸張部を有しており、長手直交方向伸張部の、袖の長手方向の上下両側に、袖の長手方向の伸び率よりも袖の長手方向に直交する方向の伸び率が大きい長手方向伸張部を有していることが好ましい。
【００１４】
上記の衣料において、袖筒を有しており、袖筒は、リブ編み部を含み、リブ編み部の畦の長手方向は、袖筒の軸方向に非平行となっていることが好ましい。
【００１５】
上記の衣料において、外衣または中衣であることが好ましい。
【００１６】
上記の衣料において、第１の生地と第２の生地は、溶着により接合されており、当該接合部分に帯状部材が貼付されていることが好ましい。
【発明の効果】
【００１７】
本発明の第１の衣料は、第１の生地、第２の生地および帯状部材を有する衣料であって、第１の生地は後ろ身頃にあり、第２の生地は前身頃にあり、帯状部材は、第１の生地と第２の生地に沿って配置されており、第１の生地と第２の生地の少なくとも一方は、第１の生地と第２の生地の境界線に平行な方向（以下、「境界線平行方向」と記載する）の伸び率よりも、境界線に平行な方向に直交する方向（以下、「境界線直交方向」と記載する）の伸び率が大きく、
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式の解であるｋｔｘとｋｔｙは、ｋｔｘ＞ｋｔｙの関係にあり、上記式の解であるｋｂ１ｘ、ｋｂ１ｙ、ｋｂ２ｘ、およびｋｂ２ｙは、ｋｂ１ｘ＜ｋｂ１ｙとｋｂ２ｘ＜ｋｂ２ｙの少なくとも一方の関係にあることを特徴とする。衣料がこのような構成であることにより、衣料を構成する生地だけでなく第１の生地と第２の生地の境界部分も伸縮性が優れ、特に運動時に快適な衣料を提供することができる。
【００１８】
本発明の第２の衣料は、第１の生地、第２の生地および帯状部材を有する衣料であって、第１の生地は後ろ身頃にあり、第２の生地は前身頃にあり、前身頃および後ろ身頃の少なくとも一方は、袖ぐりの下部から第１の生地と第２の生地の境界の少なくとも一部に、第１の生地と第２の生地の少なくとも一方よりも第１の生地と第２の生地の境界線に平行な方向（以下、「境界線平行方向」と記載する）に直交する方向（以下、「境界線直交方向」と記載する）の伸び率が大きい生地を有し、帯状部材は、第１の生地と第２の生地の少なくとも一方の袖ぐりに沿って配置されていることを特徴とするものである。衣料がこのような構成であることにより、衣料の伸縮性に優れ、衣料の袖ぐり部分の生地の接合部分の肌当たりがよく、着心地のよい衣服を提供することができる。
【図面の簡単な説明】
【００１９】
【図１】本発明の衣料の前側から見た全体図を表す。
【図２】本発明の衣料の後ろ側から見た全体図を表す。
【図３】本発明の衣料における第１の生地の平面図を表す。
【図４】本発明の衣料における第２の生地の平面図を表す。
【図５】本発明の衣料を着用者側から見た展開図を表す。
【図６】本発明の衣料における袖を構成する生地の平面図を表す。
【図７】第１の生地に境界線平行方向へ荷重を加えた際の変位を示すグラフを表す。
【図８】第１の生地に境界線直交方向へ荷重を加えた際の変位を示すグラフを表す。
【図９】積層生地に境界線平行方向へ荷重を加えた際の変位を示すグラフを表す。
【図１０】積層生地に境界線直交方向へ荷重を加えた際の変位を示すグラフを表す。
【発明を実施するための形態】
【００２０】
（実施の形態１）
以下、本発明の実施の形態１に係る衣料について図面を用いてより具体的に説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。また、図面における種々部材の寸法は、本発明の特徴の理解に資することを優先しているため、実際の寸法とは異なる場合がある。
【００２１】
本発明は、衣料に関するものである。図１は衣料１を前側から見た全体図を表し、図２は衣料１を後ろ側から見た全体図を表す。衣料１は、前身頃２と後ろ身頃３を有しており、少なくとも上半身に着用する部分を含んでいてもよく、少なくとも下半身に着用する部分を含んでいてもよい。衣料１が上半身に着用する部分を含んでいる場合、衣料１は、前身頃２と後ろ身頃３に加え、例えば、袖４を有していてもよく、また、フード５が取り付けられていてもよい。前身頃２と後ろ身頃３とは、胴体の前側と後側を覆う部分をそれぞれ意味し、前身頃２と後ろ身頃３は身体の真横で区分される。
【００２２】
本発明において、衣料１の外面側とは、衣料１の着用時に着用者から見て外気側を意味する。衣料１の肌面側とは、外面側とは反対の、着用者側を意味する。
【００２３】
本発明に係る第１の衣料１は、第１の生地１０、第２の生地２０および帯状部材３０を有する衣料１であって、第１の生地１０は後ろ身頃３にあり、第２の生地２０は前身頃２にあり、帯状部材３０は、第１の生地１０と第２の生地２０に沿って配置されており、第１の生地１０と第２の生地２０の少なくとも一方は、第１の生地１０と第２の生地２０の境界線に平行な方向（以下、「境界線平行方向Ｄ１」と記載する）の伸び率よりも、境界線に平行な方向に直交する方向（以下、「境界線直交方向Ｄ２」と記載する）の伸び率が大きく、
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式の解であるｋｔｘとｋｔｙは、ｋｔｘ＞ｋｔｙの関係にあり、上記式の解であるｋｂ１ｘ、ｋｂ１ｙ、ｋｂ２ｘ、およびｋｂ２ｙは、ｋｂ１ｘ＜ｋｂ１ｙとｋｂ２ｘ＜ｋｂ２ｙの少なくとも一方の関係にあることを特徴とするものである。
【００２４】
上記式中、Ｆｘは帯状部材３０へ第１の生地１０および第２の生地２０が積層された部分（以下、「積層部分６１」と記載する）に対して境界線直交方向Ｄ２に加わる荷重（Ｎ）、Ｌｘは積層部分６１に対して境界線直交方向Ｄ２に荷重を加えた際の変位（ｍｍ）、Ｆｙは積層部分６１に対して境界線平行方向Ｄ１に加わる荷重（Ｎ）、Ｌｙは積層部分６１に対して境界線平行方向Ｄ１に荷重を加えた際の変位（ｍｍ）、Ｆｂ１ｘは第１の生地１０に対して境界線直交方向Ｄ２に加わる荷重（Ｎ）、Ｌｂ１ｘは第１の生地１０に対して境界線直交方向Ｄ２に荷重を加えた際の変位（ｍｍ）、Ｆｂ２ｘは第２の生地２０に対して境界線直交方向Ｄ２に加わる荷重（Ｎ）、Ｌｂ２ｘは第２の生地２０に対して境界線直交方向Ｄ２に荷重を加えた際の変位（ｍｍ）、Ｆｂ１ｙは第１の生地１０に対して境界線平行方向Ｄ１に加わる荷重（Ｎ）、Ｌｂ１ｙは第１の生地１０に対して境界線平行方向Ｄ１に荷重を加えた際の変位（ｍｍ）、Ｆｂ２ｙは第２の生地２０に対して境界線平行方向Ｄ１に加わる荷重（Ｎ）、Ｌｂ２ｙは第２の生地２０に対して境界線平行方向Ｄ１に荷重を加えた際の変位（ｍｍ）をそれぞれ示す。
【００２５】
Ｆｘ、Ｆｙ、Ｆｂ１ｘ、Ｆｂ２ｘ、Ｆｂ１ｙおよびＦｂ２ｙは、積層部分６１、第１の生地１０、および第２の生地２０の境界線直交方向Ｄ２と境界線平行方向Ｄ１のそれぞれに加えた荷重と、各荷重を加えた際の積層部分６１、第１の生地１０、および第２の生地２０の伸びとの関係である、荷重を縦軸に、伸びを横軸にとって描かれる荷重−伸長曲線における最大伸度までの荷重であることが好ましい。Ｆｘ、Ｆｙ、Ｆｂ１ｘ、Ｆｂ２ｘ、Ｆｂ１ｙおよびＦｂ２ｙの値をこのように設定することにより、ｋｔｘ、ｋｔｙ、ｋｂ１ｘ、ｋｂ１ｙ、ｋｂ２ｘおよびｋｂ２ｙの各値の算出が正確に行えるようになる。
【００２６】
Ｆｘ、Ｆｙ、Ｆｂ１ｘ、Ｆｂ２ｘ、Ｆｂ１ｙおよびＦｂ２ｙは、積層部分６１、第１の生地１０、および第２の生地２０の境界線直交方向Ｄ２と境界線平行方向Ｄ１のそれぞれに加えた荷重と、各荷重を加えた際の積層部分６１、第１の生地１０、および第２の生地２０の伸びとの関係である、荷重を縦軸に、伸びを横軸にとって描かれる荷重−伸長曲線において、荷重と変位が比例する変形初期の領域内の荷重であることが好ましい。即ち、Ｆｘ、Ｆｙ、Ｆｂ１ｘ、Ｆｂ２ｘ、Ｆｂ１ｙおよびＦｂ２ｙは、各試料における荷重と変位が比例する変形初期の領域内の値であることが好ましい。Ｆｘ、Ｆｙ、Ｆｂ１ｘ、Ｆｂ２ｘ、Ｆｂ１ｙおよびＦｂ２ｙの値をこのように設定することにより、ｋｔｘ、ｋｔｙ、ｋｂ１ｘ、ｋｂ１ｙ、ｋｂ２ｘおよびｋｂ２ｙの比較をより精密に行うことができる。
【００２７】
Ｆｘ、Ｆｙ、Ｆｂ１ｘ、Ｆｂ２ｘ、Ｆｂ１ｙおよびＦｂ２ｙは、同じ値であってもよい。つまり、Ｌｘ、Ｌｙ、Ｌｂ１ｘ、Ｌｂ２ｘ、Ｌｂ１ｙおよびＬｂ２ｙが、積層部分６１、第１の生地１０、および第２の生地２０の境界線直交方向Ｄ２と境界線平行方向Ｄ１のそれぞれに同じ荷重を加えた際の各変位であってもよい。積層部分６１、第１の生地１０、および第２の生地２０の各試料の大きさが同じであり、Ｆｘ、Ｆｙ、Ｆｂ１ｘ、Ｆｂ２ｘ、Ｆｂ１ｙおよびＦｂ２ｙが同じ値であることによって、各試料によって試験機の設定や条件等を変更せずに変位を測定することができ、各変位の測定が行いやすくなる。
【００２８】
衣料１は、第１の生地１０、第２の生地２０、および帯状部材３０を有している。図３は第１の生地１０の平面図を表し、図４は第２の生地２０の平面図を表し、図５は衣料１を着用者側から見た展開図を表している。なお、衣料１を着用者側から見た展開図とは、衣料１の肌面側の展開図である。図３および図５に示すように、第１の生地１０は後ろ身頃３にある。図４および図５に示すように、第２の生地２０は前身頃２にある。第２の生地２０は、右前身頃にある右側の第２の生地２０ａと、左前身頃にある左側の第２の生地２０ｂを有していてもよい。
【００２９】
第１の生地１０の種類は、例えば、平織、綾織、朱子織等の織物、平編み、リブ編み、ガーター編み等の編物、不織布等が挙げられる。第１の生地１０は、中でも、編物であることが好ましく、リブ編みであることがより好ましい。第１の生地１０がこのように構成されていることにより、第１の生地１０の伸縮性を高めることができる。
【００３０】
第１の生地１０は、複数の編み組織または織組織を有していてもよい。具体例としては、第１の生地１０の中に、リブ編みとメッシュ編みのような、種類の異なる編み組織を有している構成等が挙げられる。第１の生地１０が複数の編み組織または織組織を有していることにより、第１の生地１０の部分によって、特性を変化させることができる。例えば、第１の生地１０の全体の編み組織をリブ編みとすることによって、第１の生地１０の全体の伸縮性を高めて着用者の身体にフィットさせ、第１の生地１０の脇付近の編み組織をメッシュ編みとすることによって、熱のこもりやすい脇付近の通気性を高めることにより、衣料１の着心地を向上させることができる。
【００３１】
第１の生地１０を構成する繊維の材料は、例えば、ポリエステル、ポリウレタン、ナイロンなどの合成繊維、綿、麻等の天然繊維等が挙げられる。第１の生地１０を構成する繊維の材料は、中でも、合成繊維であることが好ましく、ポリエステルであることがより好ましい。第１の生地１０がこのように構成されていることにより、帯状部材３０との接合強度を高めることができ、衣料１の製造が容易となる。
【００３２】
第１の生地１０の厚みは、０．５ｍｍ以上であることが好ましく、０．７ｍｍ以上であることがより好ましく、１ｍｍ以上であることがさらに好ましく、１．２ｍｍ以上であることが特に好ましい。第１の生地１０の厚みの下限値をこのように設定することにより、帯状部材３０との接合強度が高く、接合部分６０の強度を高めることができる。第１の生地１０の厚みの上限値は特に限定されないが、例えば、１０ｍｍ以下、５ｍｍ以下、３ｍｍ以下とすることができる。なお、第１の生地１０の厚みは、第１の生地１０の任意の複数の部分の厚みを測定し、この測定した複数の厚みを平均したものである。
【００３３】
第２の生地２０の種類は、第１の生地１０の種類と同様に、織物、編物、不織布などが挙げられ、中でも、編物であることが好ましく、リブ編みであることがより好ましい。第２の生地２０がこのように構成されていることにより、伸縮性のよい第２の生地２０とすることができる。また、第２の生地２０は、第１の生地１０と同様に、複数の編み組織または織組織を有していてもよい。
【００３４】
第２の生地２０を構成する繊維の材料は、第１の生地１０を構成する繊維の材料と同じく、合成繊維、天然繊維等が挙げられ、中でも、合成繊維であることが好ましく、ポリエステルであることが好ましい。第２の生地２０がこのように構成されていることにより、第２の生地２０と帯状部材３０との接合強度が高まり、第２の生地２０と帯状部材３０とを接合することが容易となる。
【００３５】
第２の生地２０の厚みは、第１の生地１０の厚みと同様に、０．５ｍｍ以上であることが好ましく、０．７ｍｍ以上であることがより好ましく、１ｍｍ以上であることがさらに好ましく、１．２ｍｍ以上であることが特に好ましい。第２の生地２０の厚みの下限値をこのように設定することにより、第２の生地２０と帯状部材３０との接合強度を高めることができ、接合部分６０の強度を上げることができる。第２の生地２０の厚みの上限値も第１の生地１０と同じく、特に限定されないが、例えば、１０ｍｍ以下、５ｍｍ以下、３ｍｍ以下とすることができる。なお、第２の生地２０の厚みは、第２の生地２０の任意の複数の部分の厚みを測定し、この測定した複数の厚みを平均したものである。
【００３６】
第１の生地１０と第２の生地２０は、異なる種類や材料の生地であってもよいが、同じ種類や材料の生地であることが好ましい。第１の生地１０と第２の生地２０が同じ種類や材料であることにより、第１の生地１０と第２の生地２０の物性が同等となり、第１の生地１０と第２の生地２０の接合工程が行いやすくなる。また、第１の生地１０と第２の生地２０は、合成繊維の編物であることが好ましく、ポリエステルのリブ編みであることがより好ましい。第１の生地１０と第２の生地２０がこのように構成されていることにより、伸縮性に優れ、また、接合部分６０の強度が高い衣料１とすることができる。
【００３７】
帯状部材３０の種類は、平織、綾織、朱子織等の織物、平編み、リブ編み、ガーター編み等の編物、不織布、これらの布帛に合成樹脂をコーティングしたものが挙げられる。帯状部材３０の種類は、中でも、編物であることが好ましい。帯状部材３０が編物であることにより、帯状部材３０に伸縮性を付与することができ、接合部分６０に伸縮性を与えることができる。また、帯状部材３０の肌触りがよいため、着心地のよい衣料１とすることができる。
【００３８】
帯状部材３０を構成する繊維の材料は、ポリエステル、ポリウレタン、ナイロンなどの合成繊維、綿、麻等の天然繊維等が挙げられる。帯状部材３０を構成する繊維の材料は、中でも、合成繊維であることが好ましく、ポリウレタンであることがより好ましい。帯状部材３０がこのように構成されていることにより、第１の生地１０および第２の生地２０との接合強度が増し、衣料１の生産性を高めることができる。また、帯状部材３０の伸縮性を高めることもできる。
【００３９】
図５に示すように、帯状部材３０は、第１の生地１０と第２の生地２０に沿って配置されている。つまり、帯状部材３０は第１の生地１０と第２の生地２０の両方に接合されており、第１の生地１０と第２の生地２０は帯状部材３０によって接合されている。帯状部材３０が第１の生地１０と第２の生地とを接合していることにより、第１の生地１０と第２の生地の接合部分６０の表面が、糸と針によって縫合されたものや溶着によって接合されたものと比較して、凹凸の少ない滑らかな状態となり、衣料１の着用者への肌当たりが向上する。
【００４０】
第１の生地１０と第２の生地２０との境界は、帯状部材３０の中央部に位置していることが好ましい。帯状部材３０の中央部とは、帯状部材３０の幅の長さを３等分したうちの中央の領域を指す。第１の生地１０と第２の生地２０が帯状部材３０のこのような位置に配置されていることにより、第１の生地１０および第２の生地２０と帯状部材３０との接合強度を高めることができ、衣料１の生産効率がよく、また、耐久性に優れる衣料１とすることができる。
【００４１】
図５に示すように、脇部分の前身頃２と後ろ身頃３との境界、肩部分の前身頃２と後ろ身頃３との境界、および袖ぐり７１の位置に帯状部材３０が設けられていることが好ましい。これらの位置に帯状部材３０が設けられていることにより、肌当たりがよく、着心地のよい衣料１となる。
【００４２】
第１の生地１０と第２の生地２０の少なくとも一方は、第１の生地１０と第２の生地２０の境界線に平行な方向（境界線平行方向Ｄ１）の伸び率よりも、境界線に平行な方向に直交する方向（境界線直交方向Ｄ２）の伸び率が大きい。即ち、第１の生地１０と第２の生地２０の少なくとも一方は、着用者の頭部から足部へ向かう方向である上下方向の伸び率よりも、着用者の胴体の周方向の伸び率の方が大きい。第１の生地１０と第２の生地２０の少なくとも一方がこのように構成されていることにより、着用者の身体にフィットしやすい衣料１となる。
【００４３】
第１の生地１０と第２の生地２０の少なくとも一方が、境界線平行方向Ｄ１の伸び率よりも境界線直交方向Ｄ２の伸び率が大きければよいが、第１の生地１０および第２の生地２０が、境界線平行方向Ｄ１の伸び率よりも境界線直交方向Ｄ２の伸び率が大きいことが好ましい。第１の生地１０および第２の生地２０がこのように構成されていることにより、さらに衣料１の伸縮性を高めることができ、着用者の身体の動きに衣料１が追従しやすくなる。
【００４４】
衣料１は、下記の式の解であるｋｔｘとｋｔｙが、ｋｔｘ＞ｋｔｙの関係にある。また、下記式の解であるｋｂ１ｘ、ｋｂ１ｙ、ｋｂ２ｘ、およびｋｂ２ｙが、ｋｂ１ｘ＜ｋｂ１ｙとｋｂ２ｘ＜ｋｂ２ｙの少なくとも一方の関係にある。
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式中、Ｆｘは帯状部材３０へ第１の生地１０および第２の生地２０が積層された部分（積層部分６１）に対して境界線直交方向Ｄ２に加わる荷重（Ｎ）、Ｌｘは積層部分６１に対して境界線直交方向Ｄ２に荷重を加えた際の変位（ｍｍ）、Ｆｙは積層部分６１に対して境界線平行方向Ｄ１に加わる荷重（Ｎ）、Ｌｙは積層部分６１に対して境界線平行方向Ｄ１に荷重を加えた際の変位（ｍｍ）、Ｆｂ１ｘは第１の生地１０に対して境界線直交方向Ｄ２に加わる荷重（Ｎ）、Ｌｂ１ｘは第１の生地１０に対して境界線直交方向Ｄ２に荷重を加えた際の変位（ｍｍ）、Ｆｂ２ｘは第２の生地２０に対して境界線直交方向Ｄ２に加わる荷重（Ｎ）、Ｌｂ２ｘは第２の生地２０に対して境界線直交方向Ｄ２に荷重を加えた際の変位（ｍｍ）、Ｆｂ１ｙは第１の生地１０に対して境界線平行方向Ｄ１に加わる荷重（Ｎ）、Ｌｂ１ｙは第１の生地１０に対して境界線平行方向Ｄ１に荷重を加えた際の変位（ｍｍ）、Ｆｂ２ｙは第２の生地２０に対して境界線平行方向Ｄ１に加わる荷重（Ｎ）、Ｌｂ２ｙは第２の生地２０に対して境界線平行方向Ｄ１に荷重を加えた際の変位（ｍｍ）をそれぞれ示す。
【００４５】
Ｌｘ、Ｌｙ、Ｌｂ１ｘ、Ｌｂ２ｘ、Ｌｂ１ｙおよびＬｂ２ｙを測定した後、上記式の解であるｋｔｘ、ｋｔｙ、ｋｂ１ｘ、ｋｂ１ｙ、ｋｂ２ｘ、およびｋｂ２ｙを算出し、ｋｔｘとｋｔｙの関係、ｋｂ１ｘとｋｂ１ｙの関係、およびｋｂ２ｘとｋｂ２ｙの関係を求める。
【００４６】
上記式の解であるｋｔｘとｋｔｙがｋｔｘ＞ｋｔｙの関係にあり、ｋｂ１ｘ、ｋｂ１ｙ、ｋｂ２ｘ、およびｋｂ２ｙがｋｂ１ｘ＜ｋｂ１ｙとｋｂ２ｘ＜ｋｂ２ｙの少なくとも一方の関係にあることにより、第１の生地１０と第２の生地２０の境界部分の伸縮性が優れ、着用者の身体の動きに衣料１が追従しやすく、運動時に快適な衣料１とすることができる。
【００４７】
また、無縫製にて衣料を作製する際、美麗な仕上りとするため、生地の接合時に生地へ張力を加える必要がある。伸縮性に優れた衣料とするために伸び率の高い生地を用いると、各生地の接合工程において生地が過度に伸長し、美麗な仕上りとなりにくいことや各生地の接合が不十分となることがある。ｋｔｘとｋｔｙがｋｔｘ＞ｋｔｙの関係にあるのに対して、ｋｂ１ｘ、ｋｂ１ｙ、ｋｂ２ｘ、およびｋｂ２ｙがｋｂ１ｘ＜ｋｂ１ｙとｋｂ２ｘ＜ｋｂ２ｙの少なくとも一方の関係にあることにより、第１の生地１０と第２の生地２０の過度な伸長を帯状部材３０が防止し、第１の生地１０と第２の生地２０の接合強度を高め、衣料１の生産効率を上げることができる。
【００４８】
ｋｂ１ｘ、ｋｂ１ｙ、ｋｂ２ｘ、およびｋｂ２ｙが、ｋｂ１ｘ＜ｋｂ１ｙとｋｂ２ｘ＜ｋｂ２ｙの少なくとも一方の関係にあればよいが、ｋｂ１ｘ＜ｋｂ１ｙおよびｋｂ２ｘ＜ｋｂ２ｙの関係にあることが好ましい。ｋｂ１ｘ、ｋｂ１ｙ、ｋｂ２ｘ、およびｋｂ２ｙがこのような関係にあることにより、第１の生地１０と第２の生地２０の境界部分の伸縮性をより高めることができ、衣料１が着用者の身体へフィットしやすくなる。また、第１の生地１０および第２の生地２０と帯状部材３０との接合工程においても接合が行いやすくなり、衣料１の生産性を高めることができる。
【００４９】
衣料１がフード５を有する場合、フード５は複数の生地から構成され、各生地の境界に沿って帯状部材３０が配置されていることが好ましい。つまり、帯状部材３０はフード５を構成する各生地にそれぞれ接合されており、フード５を構成する各生地が帯状部材３０によって接合されていることが好ましい。フード５が複数の生地から構成されていることにより、着用者の頭にフード５が沿いやすくなる。フード５を構成する各生地の境界に沿って帯状部材３０が配置されていることにより、フード５が着用者の頭にフィットしても、フード５を構成する各生地の接合部の表面が滑らかとなり、着用者に違和感を与えにくくなる。
【００５０】
衣料１がフード５を有する場合、フード５と第１の生地１０との境界に沿って、帯状部材３０が配置されていることが好ましい。つまり、フード５を構成する生地と第１の生地１０とが帯状部材３０によって接合されていることが好ましい。フード５と第１の生地１０との境界に帯状部材３０が配置されていることにより、フード５と第１の生地１０との接合部に凹凸ができにくくなり、肌当たりのよい衣料１とすることができる。
【００５１】
衣料１が右前身頃にある右側の第２の生地２０ａと、左前身頃にある左側の第２の生地２０ｂを有する場合、右側の第２の生地２０ａと左側の第２の生地２０ｂとを係合する係合部材を有していてもよい。係合部材としては、例えば、線ファスナー、面ファスナー等が挙げられる。また、係合部材は、衣料１のポケットの開口部等に設けられていてもよい。第１の生地１０または第２の生地２０への係合部材の接合方法としては、例えば、縫製、超音波や熱による溶着、接着剤による接着等が挙げられる。係合部材の接合方法は、中でも、縫製であることが好ましい。係合部材が第１の生地１０または第２の生地２０へ縫製によって接合されていることにより、係合部材と第１の生地１０または第２の生地２０との結合強度を高めることができる。そのため、係合部材の係合および分離時に、係合部材と第１の生地１０または第２の生地２０との接合部に応力が加わっても、係合部材が第１の生地１０または第２の生地２０から離脱しにくくなる。
【００５２】
なお、係合部材と第１の生地１０または第２の生地２０との接合部には、帯状部材３０が配置されていることが好ましい。係合部材と第１の生地１０または第２の生地２０との接合部に帯状部材３０が配置されていることにより、係合部材の接合部の表面を滑らかにし、係合部材の接合部が着用者の身体に違和感を与えにくくなる。
【００５３】
上記式の解であるｋｔｘと、ｋｂ１ｘおよびｋｂ２ｘは、ｋｔｘ＞ｋｂ１ｘとｋｔｘ＞ｋｂ２ｘの少なくとも一方の関係にあることが好ましい。ｋｔｘと、ｋｂ１ｘおよびｋｂ２ｘがこのような関係にあることにより、衣料１の伸縮性が向上し、運動時に着用者の身体の動きを妨げにくい衣料１とすることができる。また、衣料１の製造時においても、第１の生地１０と第２の生地２０の接合部分６０が伸長しすぎることを防ぎ、衣料１の生産効率を高めることができる。
【００５４】
また、ｋｔｘと、ｋｂ１ｘおよびｋｂ２ｘは、ｋｔｘ＞ｋｂ１ｘおよびｋｔｘ＞ｋｂ２ｘの関係にあることがより好ましい。ｋｔｘと、ｋｂ１ｘおよびｋｂ２ｘがこのような関係にあることにより、衣料１の伸縮性をさらに高めることができ、衣料１が着用者の身体に追従しやすくなる。
【００５５】
上記式の解であるｋｔｘとｋｔｙの比は、１．５以上であることが好ましく、１．７以上であることがより好ましく、２以上であることがさらに好ましい。なお、ｋｔｘとｋｔｙの比は、ｋｔｘ／ｋｔｙの計算式によって算出する。ｋｔｘとｋｔｙの比の下限値をこのように設定することにより、接合部分６０における伸縮性が高まり、着用者の身体に追従しやすい衣料１とすることができる。ｋｔｘとｋｔｙの比の上限値は特に限定されないが、例えば、１０以下、８以下、５以下とすることができる。
【００５６】
第１の生地１０と第２の生地２０の少なくとも一方は、境界線直交方向Ｄ２の伸び率と境界線平行方向Ｄ１の伸び率との比が１．５以上であることが好ましく、１．７以上であることがより好ましく、２以上であることがさらに好ましい。なお、第１の生地１０の境界線直交方向Ｄ２の伸び率と、第１の生地１０の境界線平行方向Ｄ１の伸び率との比は、第１の生地１０の境界線直交方向Ｄ２の伸び率［％］／第１の生地１０の境界線平行方向Ｄ１の伸び率［％］の計算式によって算出し、第２の生地２０の境界線直交方向Ｄ２の伸び率と、第２の生地２０の境界線平行方向Ｄ１の伸び率との比は、第２の生地２０の境界線直交方向Ｄ２の伸び率［％］／第２の生地２０の境界線平行方向Ｄ１の伸び率［％］の計算式によって算出する。第１の生地１０と第２の生地２０の少なくとも一方の、境界線直交方向Ｄ２の伸び率と境界線平行方向Ｄ１の伸び率との比の下限値をこのように設定することにより、衣料１の着用時における運動等の動きに衣料１が追従しやすくなる。第１の生地１０と第２の生地２０の少なくとも一方の、境界線直交方向Ｄ２の伸び率と境界線平行方向Ｄ１の伸び率との比の上限値は特に限定されないが、例えば、１０以下、８以下、５以下とすることができる。
【００５７】
（実施の形態２）
以下、本発明の実施の形態２に係る衣料について図面を用いて説明する。実施の形態２に係る衣料は、基本的には実施の形態１に係る衣料と同様の構成を有しているので、共通する部分については説明を省略する。
【００５８】
本発明の実施の形態２の衣料１は、第１の生地１０、第２の生地２０および帯状部材３０を有する衣料１であって、第１の生地１０は後ろ身頃３にあり、第２の生地２０は前身頃２にあり、前身頃２および後ろ身頃３の少なくとも一方は、袖ぐり７１の下部から第１の生地１０と第２の生地２０の境界の少なくとも一部に、第１の生地１０と第２の生地２０の少なくとも一方よりも第１の生地１０と第２の生地２０の境界線に平行な方向（以下、「境界線平行方向Ｄ１」と記載する）に直交する方向（以下、「境界線直交方向Ｄ２」と記載する）の伸び率が大きい生地を有し、帯状部材３０は、第１の生地１０と第２の生地２０の少なくとも一方の袖ぐり７１に沿って配置されていることを特徴とするものである。
【００５９】
図５に示すように、前身頃２および後ろ身頃３の少なくとも一方は、袖ぐり７１の下部から第１の生地１０と第２の生地２０の境界の少なくとも一部に、第１の生地１０と第２の生地２０の少なくとも一方よりも境界線直交方向Ｄ２の伸び率が大きい生地４１を有している。衣料１の袖ぐり７１の下部は、ジョギング等の運動時に腕を振る等の動きによって生地に応力が加わりやすい部分である。そのため、衣料１の袖ぐり７１の下部から第１の生地１０と第２の生地２０の境界の少なくとも一部に、第１の生地１０と第２の生地２０の少なくとも一方よりも境界線直交方向Ｄ２の伸び率が大きい生地４１を有していることにより、腕を振る等の動きのある運動時において、袖ぐり７１の下部の生地が引きつることを防ぎ、衣料１の着心地を高めることができる。
【００６０】
第１の生地１０と第２の生地２０の少なくとも一方よりも境界線直交方向Ｄ２の伸び率が大きい生地４１は、第１の生地１０および第２の生地２０よりも境界線直交方向Ｄ２の伸び率が大きいことが好ましい。第１の生地１０と第２の生地２０の少なくとも一方よりも境界線直交方向Ｄ２の伸び率が大きい生地４１がこのように構成されていることにより、袖ぐり７１部分の伸縮性をより高めることができ、運動時における衣料１の着心地を向上することができる。
【００６１】
第１の生地１０と第２の生地２０の少なくとも一方よりも境界線直交方向Ｄ２の伸び率が大きい生地４１とする方法としては、例えば、第１の生地１０と第２の生地２０の少なくとも一方よりも伸縮性の高い編み組織または織組織とする、第１の生地１０と第２の生地２０の少なくとも一方よりも伸縮性の高い材料を用いる等の方法が挙げられる。
【００６２】
第１の生地１０と第２の生地２０の少なくとも一方よりも境界線直交方向Ｄ２の伸び率が大きい生地４１は、後ろ身頃３にある第１の生地１０と、前身頃２にある第２の生地２０の少なくとも一方に溶着や縫製等により接合されていてもよいが、第１の生地１０と第２の生地２０の少なくとも一方の編み組織または織組織を部分的に変化させて、第１の生地１０と第２の生地２０の少なくとも一方を構成する生地の中に、第１の生地１０と第２の生地２０の少なくとも一方よりも境界線直交方向Ｄ２の伸び率が大きい生地４１を含んでいることが好ましい。つまり、第１の生地１０と第２の生地２０の少なくとも一方よりも境界線直交方向Ｄ２の伸び率が大きい生地４１と、第１の生地１０と第２の生地２０の少なくとも一方とを一体構造とすることが好ましい。第１の生地１０と第２の生地２０の少なくとも一方よりも境界線直交方向Ｄ２の伸び率が大きい生地４１と、第１の生地１０と第２の生地２０の少なくとも一方とがこのように構成されていることにより、第１の生地１０と第２の生地２０の少なくとも一方よりも境界線直交方向Ｄ２の伸び率が大きい生地４１の境界部分に接合による凹凸等ができにくくなるため、肌当たりのよい衣料１とすることができる。
【００６３】
第１の生地１０と第２の生地２０の少なくとも一方よりも境界線直交方向Ｄ２の伸び率が大きい生地４１は、第１の生地１０と第２の生地２０の少なくとも一方よりも通気性が高いことが好ましい。袖ぐり７１の下部の生地と着用者との間は熱がこもりやすいため、第１の生地１０と第２の生地２０の少なくとも一方よりも境界線直交方向Ｄ２の伸び率が大きい生地４１に、例えばメッシュ編み生地等の、第１の生地１０と第２の生地２０の少なくとも一方よりも通気性が高い生地４１ａを用いることにより、衣料１の着心地を向上させることができる。
【００６４】
帯状部材３０は、第１の生地１０と第２の生地２０の少なくとも一方の袖ぐり７１に沿って配置されている。袖ぐり７１は着用者の脇と接触する部分であるため、特にこの部分の肌当たりをよくすることが求められている。第１の生地１０と第２の生地２０の少なくとも一方の袖ぐり７１に沿って帯状部材３０が配置されていることにより、袖ぐり７１の表面を滑らかにし、着心地のよい衣料１とすることができる。
【００６５】
第１の生地１０と第２の生地２０は、編み組織が異なることが好ましい。第１の生地１０と第２の生地２０の編み組織を異なるものとすることにより、衣料１の各部分に適した機能を付与することができる。例えば、衣料１である上衣の背中部分は熱がこもりやすいため、後ろ身頃３にある第１の生地１０にメッシュ編み等の通気性の高い編み組織を用いることが挙げられる。
【００６６】
第１の生地１０と第２の生地２０の少なくとも一方は、複数の編み組織を有していることが好ましい。具体的には、例えば、第１の生地１０の中に、リブ編みとメッシュ編みのような異なる種類の複数の編み組織を有している構成が挙げられる。第１の生地１０と第２の生地２０の少なくとも一方が複数の編み組織を有していることにより、第１の生地１０や第２の生地２０の各部分に、適切な特性を付与することができる。例えば、第１の生地１０の全体の編み組織をリブ編みとし、第１の生地１０の全体の伸縮性を高めて着用者の身体にフィットさせ、また、第１の生地１０の脇付近の編み組織をメッシュ編みとし、熱のこもりやすい脇付近の通気性を高めることにより、衣料１の着心地を向上させることができる。
【００６７】
第１の生地１０と第２の生地２０の少なくとも一方は、複数の編み組織を有していることが好ましいが、第１の生地１０および第２の生地２０がそれぞれ複数の編み組織を有していることがより好ましい。第１の生地１０および第２の生地２０がそれぞれ複数の編み組織を有していることにより、着用者の身体全体において各部位に求められている機能を付与することができ、より機能的な衣料１とすることができる。
【００６８】
後ろ身頃３の中央部に、第１の生地１０よりも境界線直交方向Ｄ２の伸び率が大きい生地４１ｂを有していることが好ましい。後ろ身頃３がこのように構成されていることにより、衣料１である上衣の背中部分の伸縮性を高め、着用者にフィットした上衣とすることができる。
【００６９】
第１の生地１０よりも境界線直交方向Ｄ２の伸び率が大きい生地４１ｂは、第２の生地２０の肩部分にも設けられていてもよい。第２の生地２０がこのように構成されていることにより、腕を回す等の動きの際に生地が引っ張られて引きつりやすい前身頃２の肩部分の生地に伸縮性を与えることができるため、着用感のよい衣料１とすることができる。
【００７０】
図６は、衣料１の袖４を構成する袖生地５０の平面図を表している。図６に示すように、着用時に肘部に位置する部分に、袖４の長手方向に直交する方向Ｄ４の伸び率よりも袖４の長手方向Ｄ３の伸び率が大きい長手直交方向伸張部５１を有していることが好ましい。衣料１の袖４がこのような構成であることにより、肘を曲げる動きの際に袖４の肘部の生地が伸縮することにより、衣料１が着用者の動きを妨げにくくなる。
【００７１】
長手直交方向伸張部５１の、袖４の長手方向の上下両側に、袖４の長手方向Ｄ３の伸び率よりも袖４の長手方向に直交する方向Ｄ４の伸び率が大きい長手方向伸張部５２を有していることが好ましい。衣料１がこのような構成の袖４を有していることにより、袖４が着用者の腕にフィットし、着用者の動きに追従することができる。
【００７２】
長手直交方向伸張部５１としては、例えば、ガーター編み等の編み組織を用いることができる。また、長手方向伸張部５２としては、例えば、リブ編み等の編み組織を用いることができる。
【００７３】
長手直交方向伸張部５１と長手方向伸張部５２は、長手直交方向伸張部５１を構成する生地と長手方向伸張部５２を構成する生地が袖生地５０に溶着や縫製等によって接合されていてもよいが、袖生地５０の編み組織や織組織を部分的に変化させて、袖生地５０を構成する生地の中に、長手直交方向伸張部５１と長手方向伸張部５２を含んでいることが好ましい。つまり、袖生地５０と、長手直交方向伸張部５１および長手方向伸張部５２とが一体構造であることが好ましい。袖生地５０がこのように構成されていることにより、袖生地５０と長手直交方向伸張部５１、袖生地５０と長手方向伸張部５２とのそれぞれの境界部分に接合による凹凸を少なくすることができるため、袖４の肌当たりを向上させることができる。
【００７４】
袖生地５０を構成する生地は、袖４の長手方向に直交する方向Ｄ４よりも、袖４の長手方向Ｄ３の伸び率が大きいことが好ましい。袖生地５０がこのように構成されていることにより、ジョギング等の腕を前後に振る運動の際に、腕への追従性が高い袖４とすることができる。その結果、運動時に袖口がまくれ上がることを起こりにくくすることができる。
【００７５】
衣料１は袖筒を有しており、袖筒はリブ編み部５３を含み、リブ編み部５３の畦５３ａの長手方向は、袖筒の軸方向に非平行となっていることが好ましい。袖筒の軸方向とは、袖筒の袖口の下端部の少なくとも一部を含む平面Ａと、平面Ａと平行であって袖筒の上端部を含む平面Ｂとを通る軸の延在方向を指す。リブ編み部５３の畦５３ａの長手方向が袖筒の軸方向に非平行となっているとは、リブ編み部５３の畦５３ａの長手方向と、袖筒の軸方向とがなす角度が０度超であることを指す。袖筒がこのように構成されていることにより、腕を前に出す動きに追従しやすい袖となる。そのため、腕を前後に振る運動時に、特に着心地のよい衣料１とすることができる。
【００７６】
リブ編み部５３の畦５３ａの長手方向と、袖筒の軸方向とがなす角度は、１度以上であることが好ましく、３度以上であることがより好ましく、５度以上であることがさらに好ましい。袖筒のリブ編み部５３の畦５３ａの長手方向の角度の下限値をこのように設定することにより、腕を前後に振る動きに袖筒がより追従しやすくなり、運動時の衣料１の着心地を高めることができる。リブ編み部５３の畦５３ａの長手方向と、袖筒の軸方向とがなす角度は、４５度以下であることが好ましく、４０度以下であることがより好ましく、３５度以下であることがさらに好ましい。袖筒のリブ編み部５３の畦５３ａの長手方向の角度の上限値をこのように設定することにより、袖筒の下部が着用者の前腕部にフィットしやすくなる。
【００７７】
以下は、本発明の実施の形態１および実施の形態２に係る衣料の好ましい形態について説明する。
【００７８】
衣料１は、外衣または中衣であることが好ましい。外衣とは最も外側に着用する衣料であり、中衣とは外衣と内衣の間の、中間に着用する衣料である。衣料１が外衣または中衣であり、衣料１の内側に、例えば吸水性のよい肌着等を着用することが好ましい。
【００７９】
第１の生地１０と第２の生地２０は、溶着により接合されていることが好ましい。溶着としては、熱溶着、超音波溶着等が挙げられる。第１の生地１０と第２の生地２０が溶着によって接合されていることにより、第１の生地１０と第２の生地２０の接合強度を高めることができ、衣料１の耐久性を高めることができる。
【００８０】
第１の生地１０と第２の生地２０が溶着によって接合されている接合部分６０に、帯状部材３０が貼付されていることが好ましい。第１の生地１０と第２の生地２０が溶着されることにより、第１の生地１０を構成する材料と第２の生地２０を構成する材料とが溶け合って固化するため、接合部分６０が硬く、肌触りが悪くなる。接合部分６０に帯状部材３０が貼付されていることにより、肌触りの悪い接合部分６０が帯状部分３０に覆われるため、衣料１の着用時に着用者に不快感を与えにくくなる。
【実施例】
【００８１】
以下、実施例によって本発明の作用効果をより具体的に示す。下記実施例は本発明を限定する性質のものではなく、前・後記の趣旨に沿って設計変更することはいずれも本発明の技術的範囲に含まれるものである。
【００８２】
図３に示す第１の生地１０、図４に示す第２の生地２０（２０ａ、２０ｂ）を用いて、図５に示すように第１の生地１０と第２の生地２０を超音波溶着によって接合した。第１の生地１０と第２の生地２０の接合部分６０に帯状部材３０を配置して貼付し、衣料１を作製した。第１の生地１０と第２の生地２０のベース部分はリブ編み組織とし、第１の生地１０と第２の生地２０の少なくとも一方よりも通気性が高い生地４１ａはメッシュ編み組織とし、第１の生地１０よりも境界線直交方向Ｄ２の伸び率が大きい生地４１ｂは第１の生地１０と第２の生地２０のベース部分よりもリブの幅が大きい太リブ編み組織とした。帯状部材３０の幅は１０ｍｍであった。また、第１の生地１０および第２の生地２０のベース部分の厚みは、１．４５ｍｍであった。
【００８３】
衣料１の後ろ身頃３の第１の生地１０のベース部分から、境界線平行方向Ｄ１と境界線直交方向Ｄ２に沿って、第１の生地１０の測定試料を採取した。第１の生地１０と第２の生地２０との接合部分６０であり、帯状部材３０へ第１の生地１０および第２の生地２０が積層されている積層部分６１から、境界線平行方向Ｄ１と境界線直交方向Ｄ２に沿って、積層部分６１が中央となるように、積層部分６１の測定試料を採取した。各測定試料の大きさは、縦が１６０〜１８０ｍｍ、横が６０ｍｍとした。なお、本実施例では、第１の生地１０と第２の生地２０のベース部分の編み組織が同じであるため、第１の生地１０の測定試料が第２の生地２０の測定試料も兼ねている。第１の生地１０と第２の生地２０のベース部分の編み組織が異なっている場合は、前身頃２の第２の生地２０のベース部分から、第２の生地２０の測定試料を採取する。
【００８４】
各測定試料の縦の中央部に、帯状部材３０の幅と同じ長さとなるように印を付けた。本実施例では、幅１０ｍｍの帯状部材３０を用いているため、印の間隔（以下、点間距離という）は１０ｍｍとした。
【００８５】
引張試験機を用いて、第１の生地１０の測定試料を境界線平行方向Ｄ１に引っ張り、第１の生地１０の測定試料の境界線平行方向Ｄ１の変位Ｌｂ１ｙを測定した。具体的には、つかみ具間の距離が１００ｍｍとなるように第１の生地１０の測定試料をつかみ具に固定し、第１の生地１０の測定試料に境界線平行方向Ｄ１へ荷重Ｆｂ１ｙを加え、第１の生地１０の測定試料に付けた印の点間距離の増加量を測定した。第１の生地１０の測定試料の引張速度は、２００ｍｍ／ｍｉｎとした。測定装置としては、例えば、島津製作所社製の卓上型オートグラフＡＧＳ−Ｘ  １ｋＮを用いることができる。
【００８６】
第１の生地１０の測定試料の境界線平行方向Ｄ１の変位Ｌｂ１ｙの測定と同様に、第１の生地１０の測定試料の境界線直交方向Ｄ２の変位Ｌｂ１ｘ、積層部分６１の測定試料の境界線平行方向Ｄ１の変位Ｌｙ、および積層部分６１の測定試料の境界線直交方向Ｄ２の変位Ｌｘを測定した。表１に測定結果を示す。
【００８７】
【表１】
2019199664.tif 000003
【００８８】
測定試料に加えた荷重Ｆｂ１ｙ、Ｆｂ１ｘ、Ｆｙ、およびＦｘと、その変位Ｌｂ１ｙ、Ｌｂ１ｘ、Ｌｙ、およびＬｘを以下の式に代入し、下記の式の解であるｋｔｘ、ｋｔｙ、ｋｂ１ｘ、およびｋｂ１ｙを算出した。前述の通り、本実施例では、第１の生地１０と第２の生地２０のベース部分の編み組織が同じである。そのため、第１の生地１０についての式の解であるｋｂ１ｘとｋｂ１ｙの値がｋｂ２ｘとｋｂ２ｙの値と同じであると考えられ、第１の生地１０の測定試料について変位の測定および解の算出を行っている。第１の生地１０と第２の生地２０のベース部分の編み組織が異なっている場合は、第２の生地２０についても第１の生地１０と同様に、第２の生地２０の測定試料に荷重Ｆｂ２ｙおよびＦｂ２ｘを加え、変位Ｌｂ２ｙおよびＬｂ２ｘの測定を行い、解ｋｂ２ｘおよびｋｂ２ｙの算出を行う。
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ１ｙ＝Ｌｂ１ｙ×６ｋｂ１ｙ
【００８９】
図７〜図１０は、各測定試料に荷重を加えた際の変位を示すグラフである。図７に示すように、第１の生地１０の測定試料に境界線平行方向Ｄ１へ１０Ｎの荷重Ｆｂ１ｙを加えた際の変位Ｌｂ１ｙは３．４ｍｍであった。Ｆｂ１ｙ＝Ｌｂ１ｙ×６ｋｂ１ｙより、ｋｂ１ｙ＝０．４９である。
【００９０】
図８に示すように、第１の生地１０の測定試料に境界線直交方向Ｄ２へ１０Ｎの荷重Ｆｂ１ｘを加えた際の変位Ｌｂ１ｘは９．１ｍｍであった。Ｆｂ１ｘ＝Ｌｂ１ｘ×６ｋｂ１ｘより、ｋｂ１ｘ＝０．１８である。
【００９１】
図９に示すように、積層生地６１の測定試料に境界線平行方向Ｄ１へ１０Ｎの荷重Ｆｙを加えた際の変位Ｌｙは２．８ｍｍであった。Ｆｙ＝Ｌｙ（３ｋｂ１ｙ＋３ｋｂ２ｙ＋ｋｔｙ）より、ｋｔｙ＝０．６３である。
【００９２】
図１０に示すように、積層生地６１の測定試料に境界線直交方向Ｄ２へ１０Ｎの荷重Ｆｘを加えた際の変位Ｌｘは１．０ｍｍであった。Ｆｘ＝Ｌｘ｛１２ｋｂ１ｘ×１２ｋｂ２ｘ／（１２ｋｂ１ｘ＋１２ｋｂ２ｘ）＋６ｋｔｘ｝より、ｋｔｘ＝１．５４である。
【００９３】
算出したｋｔｘ、ｋｔｙ、ｋｂ１ｘ、およびｋｂ１ｙより、ｋｔｘ＞ｋｔｙの関係にあり、かつ、ｋｂ１ｘ＜ｋｂ１ｙの関係にある。そのため、本実施例の衣料１は、第１の生地１０と第２の生地２０の境界部分の伸縮性に優れ、特に運動時の着心地が快適なものとなる。
【符号の説明】
【００９４】
１：衣料
２：前身頃
３：後ろ身頃
４：袖
５：フード
１０：第１の生地
２０：第２の生地
２０ａ：右側の第２の生地
２０ｂ：左側の第２の生地
３０：帯状部材
４１：境界線直交方向の伸び率が大きい生地
４１ａ：第１の生地と第２の生地の少なくとも一方よりも通気性が高い生地
４１ｂ：第１の生地よりも境界線直交方向の伸び率が大きい生地
５０：袖生地
５１：長手直交方向伸張部
５２：長手方向伸張部
５３：リブ編み部
５３ａ：リブ編み部の畦
６０：接合部分
６１：積層部分
７１：袖ぐり
Ｄ１：境界線平行方向
Ｄ２：境界線直交方向
Ｄ３：袖の長手方向
Ｄ４：袖の長手方向に直交する方向
【図１】
2019199664.tif 000004
【図２】
2019199664.tif 000005
【図３】
2019199664.tif 000006
【図４】
2019199664.tif 000007
【図５】
2019199664.tif 000008
【図６】
2019199664.tif 000009
【図７】
2019199664.tif 000010
【図８】
2019199664.tif 000011
【図９】
2019199664.tif 000012
【図１０】
2019199664.tif 000013
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
第１の生地、第２の生地および帯状部材を有する衣料であって、
前記第１の生地、前記第２の生地および前記帯状部材は編物であり、
前記第１の生地は後ろ身頃にあり、前記第２の生地は前身頃にあり、
前記帯状部材は、前記第１の生地と前記第２の生地に沿って配置されており、さらに、前記第１の生地と前記第２の生地の少なくとも一方の袖ぐりに沿って配置されており、
前記前身頃および前記後ろ身頃の少なくとも一方は、袖ぐりの下部から前記第１の生地と前記第２の生地の境界の少なくとも一部に、前記第１の生地と前記第２の生地の少なくとも一方よりも前記第１の生地と前記第２の生地の境界線に平行な方向（以下、「境界線平行方向」と記載する）に直交する方向（以下、「境界線直交方向」と記載する）の伸び率が大きい編地を有しており、
該編地は、前記第１の生地と前記第２の生地の少なくとも一方と一体構造であり、
前記第１の生地と前記第２の生地の少なくとも一方は、前記境界線平行方向の伸び率よりも、前記境界線直交方向の伸び率が大きく、
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式の解であるｋｔｘとｋｔｙは、ｋｔｘ＞ｋｔｙの関係にあり、かつ、ｋｔｘとｋｔｙの比は、２以上１０以下であり、
上記式の解であるｋｂ１ｘ、ｋｂ１ｙ、ｋｂ２ｘ、およびｋｂ２ｙは、ｋｂ１ｘ＜ｋｂ１ｙとｋｂ２ｘ＜ｋｂ２ｙの少なくとも一方の関係にあり、
前記第１の生地と前記第２の生地の少なくとも一方は、前記境界線直交方向の伸び率と前記境界線平行方向の伸び率との比が２以上１０以下であることを特徴とする衣料。
上記式中、
Ｆｘは、前記帯状部材へ前記第１の生地および前記第２の生地が積層された部分（以下、「積層部分」と記載する）に対して前記境界線直交方向に加わる荷重（Ｎ）、
Ｌｘは、前記積層部分に対して前記境界線直交方向に荷重を加えた際の変位（ｍｍ）、
Ｆｙは、前記積層部分に対して前記境界線平行方向に加わる荷重（Ｎ）、
Ｌｙは、前記積層部分に対して前記境界線平行方向に荷重を加えた際の変位（ｍｍ）、
Ｆｂ１ｘは、前記第１の生地に対して前記境界線直交方向に加わる荷重（Ｎ）、
Ｌｂ１ｘは、前記第１の生地に対して前記境界線直交方向に荷重を加えた際の変位（ｍｍ）、
Ｆｂ２ｘは、前記第２の生地に対して前記境界線直交方向に加わる荷重（Ｎ）、
Ｌｂ２ｘは、前記第２の生地に対して前記境界線直交方向に荷重を加えた際の変位（ｍｍ）、
Ｆｂ１ｙは、前記第１の生地に対して前記境界線平行方向に加わる荷重（Ｎ）、
Ｌｂ１ｙは、前記第１の生地に対して前記境界線平行方向に荷重を加えた際の変位（ｍｍ）、
Ｆｂ２ｙは、前記第２の生地に対して前記境界線平行方向に加わる荷重（Ｎ）、
Ｌｂ２ｙは、前記第２の生地に対して前記境界線平行方向に荷重を加えた際の変位（ｍｍ）をそれぞれ示す。
但し、前記式の解であるｋｔｘとｋｔｙの比＝ｋｔｘ／ｋｔｙ、
前記境界線直交方向の伸び率と、前記境界線平行方向の伸び率との比＝前記境界線直交方向の伸び率［％］／前記境界線平行方向の伸び率［％］
【請求項２】
前記式の解であるｋｔｘと、ｋｂ１ｘおよびｋｂ２ｘは、ｋｔｘ＞ｋｂ１ｘとｋｔｘ＞ｋｂ２ｘの少なくとも一方の関係にある請求項１に記載の衣料。
【請求項３】
前記第１の生地と前記第２の生地の少なくとも一方は、複数の編み組織を有している請求項１または２に記載の衣料。
【請求項４】
前記後ろ身頃の中央部に、前記第１の生地よりも前記境界線直交方向の伸び率が大きい生地を有している請求項１〜３のいずれか一項に記載の衣料。
【請求項５】
着用時に肘部に位置する部分に、袖の長手方向に直交する方向の伸び率よりも前記袖の長手方向の伸び率が大きい長手直交方向伸張部を有しており、
前記長手直交方向伸張部の、前記袖の長手方向の上下両側に、前記袖の長手方向の伸び率よりも前記袖の長手方向に直交する方向の伸び率が大きい長手方向伸張部を有している請求項１〜４のいずれか一項に記載の衣料。
【請求項６】
袖筒を有しており、
前記袖筒は、リブ編み部を含み、
前記リブ編み部の畦の長手方向は、前記袖筒の軸方向に非平行となっている請求項５に記載の衣料。
【請求項７】
外衣または中衣である請求項１〜６のいずれか一項に記載の衣料。
【請求項８】
前記第１の生地と前記第２の生地は、溶着により接合されており、
当該接合部分に前記帯状部材が貼付されている請求項１〜７のいずれか一項に記載の衣料。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
第１の生地、第２の生地および帯状部材を有する衣料であって、
前記衣料は、外衣または中衣であり、
前記第１の生地、前記第２の生地および前記帯状部材は、無縫製で接合されており、
前記第１の生地、前記第２の生地および前記帯状部材は編物であり、
前記第１の生地は後ろ身頃にあり、前記第２の生地は前身頃にあり、
前記帯状部材は、前記第１の生地と前記第２の生地に沿って配置されており、さらに、前記第１の生地と前記第２の生地の少なくとも一方の袖ぐりに沿って配置されており、
前記後ろ身頃は、前記第１の生地よりも前記第１の生地と前記第２の生地の境界線に平行な方向（以下、「境界線平行方向」と記載する）に直交する方向（以下、「境界線直交方向」と記載する）の伸び率が大きく、母材に囲まれた編地領域が存在しており、
前記編地領域は、前記第１の生地と一体構造であり、
前記第１の生地と前記第２の生地の少なくとも一方は、前記境界線平行方向の伸び率よりも、前記境界線直交方向の伸び率が大きく、
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式の解であるｋｔｘとｋｔｙは、ｋｔｘ＞ｋｔｙの関係にあり、かつ、ｋｔｘとｋｔｙの比は、２以上１０以下であり、
上記式の解であるｋｂ１ｘ、ｋｂ１ｙ、ｋｂ２ｘ、およびｋｂ２ｙは、ｋｂ１ｘ＜ｋｂ１ｙとｋｂ２ｘ＜ｋｂ２ｙの少なくとも一方の関係にあり、
前記第１の生地と前記第２の生地の少なくとも一方は、前記境界線直交方向の伸び率と前記境界線平行方向の伸び率との比が２以上１０以下であることを特徴とする衣料。
上記式中、
Ｆｘは、前記帯状部材へ前記第１の生地および前記第２の生地が積層された部分（以下、「積層部分」と記載する）に対して前記境界線直交方向に加わる荷重（Ｎ）、
Ｌｘは、前記積層部分に対して前記境界線直交方向に荷重を加えた際の変位（ｍｍ）、
Ｆｙは、前記積層部分に対して前記境界線平行方向に加わる荷重（Ｎ）、
Ｌｙは、前記積層部分に対して前記境界線平行方向に荷重を加えた際の変位（ｍｍ）、
Ｆｂ１ｘは、前記第１の生地に対して前記境界線直交方向に加わる荷重（Ｎ）、
Ｌｂ１ｘは、前記第１の生地に対して前記境界線直交方向に荷重を加えた際の変位（ｍｍ）、
Ｆｂ２ｘは、前記第２の生地に対して前記境界線直交方向に加わる荷重（Ｎ）、
Ｌｂ２ｘは、前記第２の生地に対して前記境界線直交方向に荷重を加えた際の変位（ｍｍ）、
Ｆｂ１ｙは、前記第１の生地に対して前記境界線平行方向に加わる荷重（Ｎ）、
Ｌｂ１ｙは、前記第１の生地に対して前記境界線平行方向に荷重を加えた際の変位（ｍｍ）、
Ｆｂ２ｙは、前記第２の生地に対して前記境界線平行方向に加わる荷重（Ｎ）、
Ｌｂ２ｙは、前記第２の生地に対して前記境界線平行方向に荷重を加えた際の変位（ｍｍ）をそれぞれ示す。
但し、前記式の解であるｋｔｘとｋｔｙの比＝ｋｔｘ／ｋｔｙ、
前記境界線直交方向の伸び率と、前記境界線平行方向の伸び率との比＝前記境界線直交方向の伸び率［％］／前記境界線平行方向の伸び率［％］
【請求項２】
前記編地領域は、前記衣料の周方向における中央部に配置されている中央部編地と、前記中央部編地の左右両側であって前記境界線より内側に、前記中央部編地から離間して配置されている側部編地と、を有している請求項１に記載の衣料。
【請求項３】
前記式の解であるｋｔｘと、ｋｂ１ｘおよびｋｂ２ｘは、ｋｔｘ＞ｋｂ１ｘとｋｔｘ＞ｋｂ２ｘの少なくとも一方の関係にある請求項１または２に記載の衣料。
【請求項４】
前記第１の生地と前記第２の生地の少なくとも一方は、複数の編み組織を有している請求項１〜３のいずれか一項に記載の衣料。
【請求項５】
着用時に肘部に位置する部分に、袖の長手方向に直交する方向の伸び率よりも前記袖の長手方向の伸び率が大きい長手直交方向伸張部を有しており、
前記長手直交方向伸張部の、前記袖の長手方向の上下両側に、前記袖の長手方向の伸び率よりも前記袖の長手方向に直交する方向の伸び率が大きい長手方向伸張部を有している請求項１〜４のいずれか一項に記載の衣料。
【請求項６】
袖筒を有しており、
前記袖筒は、リブ編み部を含み、
前記リブ編み部の畦の長手方向は、前記袖筒の軸方向に非平行となっている請求項５に記載の衣料。
【請求項７】
前記第１の生地および前記第２の生地の厚みは、それぞれ０．５ｍｍ以上１０ｍｍ以下である請求項１〜６のいずれか一項に記載の衣料。
【請求項８】
前記第１の生地と前記第２の生地は、溶着により接合されており、
当該接合部分に前記帯状部材が貼付されている請求項１〜７のいずれか一項に記載の衣料。
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
第１の生地、第２の生地および帯状部材を有する衣料であって、
前記衣料は、外衣または中衣であり、
前記第１の生地、前記第２の生地および前記帯状部材は、無縫製で接合されており、
前記第１の生地、前記第２の生地および前記帯状部材は編物であり、
前記第１の生地は後ろ身頃にあり、前記第２の生地は前身頃にあり、
前記帯状部材は、前記第１の生地と前記第２の生地に沿って配置されており、さらに、前記第１の生地と前記第２の生地の少なくとも一方の袖ぐりに沿って配置されており、
前記後ろ身頃は、前記第１の生地よりも前記第１の生地と前記第２の生地の境界線に平行な方向（以下「境界線平行方向」と記載する）に直交する方向（以下「境界線直交方向」と記載する）の伸び率が大きく、母材に囲まれた編地領域が存在しており、
前記編地領域は、前記第１の生地と一体構造であり、
前記第１の生地と前記第２の生地の少なくとも一方は、前記境界線平行方向の伸び率よりも、前記境界線直交方向の伸び率が大きく、
Ｆｘ＝Ｌｘ｛１２ｋｂ１ｘ×１２ｋｂ２ｘ／（１２ｋｂ１ｘ＋１２ｋｂ２ｘ）＋６ｋｔｘ｝
Ｆｙ＝Ｌｙ（３ｋｂ１ｙ＋３ｋｂ２ｙ＋ｋｔｙ）
Ｆｂ１ｘ＝Ｌｂ１ｘ×６ｋｂ１ｘ
Ｆｂ２ｘ＝Ｌｂ２ｘ×６ｋｂ２ｘ
Ｆｂ１ｙ＝Ｌｂ１ｙ×６ｋｂ１ｙ
Ｆｂ２ｙ＝Ｌｂ２ｙ×６ｋｂ２ｙ
上記式の解であるｋｔｘとｋｔｙは、ｋｔｘ＞ｋｔｙの関係にあり、かつ、ｋｔｘとｋｔｙの比は、２以上１０以下であり、
上記式の解であるｋｂ１ｘ、ｋｂ１ｙ、ｋｂ２ｘ、およびｋｂ２ｙは、ｋｂ１ｘ＜ｋｂ１ｙとｋｂ２ｘ＜ｋｂ２ｙの少なくとも一方の関係にあり、
前記第１の生地と前記第２の生地の少なくとも一方は、前記境界線直交方向の伸び率と前記境界線平行方向の伸び率との比が２以上１０以下であることを特徴とする衣料。
上記式中、
Ｆｘは、前記帯状部材へ前記第１の生地および前記第２の生地が積層された部分（以下、「積層部分」と記載する）に対して前記境界線直交方向に加わる荷重（Ｎ）、
Ｌｘは、前記積層部分に対して前記境界線直交方向に荷重を加えた際の変位（ｍｍ）、
Ｆｙは、前記積層部分に対して前記境界線平行方向に加わる荷重（Ｎ）、
Ｌｙは、前記積層部分に対して前記境界線平行方向に荷重を加えた際の変位（ｍｍ）、
Ｆｂ１ｘは、前記第１の生地に対して前記境界線直交方向に加わる荷重（Ｎ）、
Ｌｂ１ｘは、前記第１の生地に対して前記境界線直交方向に荷重を加えた際の変位（ｍｍ）、
Ｆｂ２ｘは、前記第２の生地に対して前記境界線直交方向に加わる荷重（Ｎ）、
Ｌｂ２ｘは、前記第２の生地に対して前記境界線直交方向に荷重を加えた際の変位（ｍｍ）、
Ｆｂ１ｙは、前記第１の生地に対して前記境界線平行方向に加わる荷重（Ｎ）、
Ｌｂ１ｙは、前記第１の生地に対して前記境界線平行方向に荷重を加えた際の変位（ｍｍ）、
Ｆｂ２ｙは、前記第２の生地に対して前記境界線平行方向に加わる荷重（Ｎ）、
Ｌｂ２ｙは、前記第２の生地に対して前記境界線平行方向に荷重を加えた際の変位（ｍｍ）をそれぞれ示す。
但し、前記式の解であるｋｔｘとｋｔｙの比＝ｋｔｘ／ｋｔｙ、
前記境界線直交方向の伸び率と、前記境界線平行方向の伸び率との比＝前記境界線直交方向の伸び率［％］／前記境界線平行方向の伸び率［％］
【請求項２】
前記編地領域は、前記衣料の周方向における中央部に配置されている中央部編地と、前記中央部編地の左右両側であって前記境界線より内側に、前記中央部編地から離間して配置されている側部編地と、を有している請求項１に記載の衣料。
【請求項３】
前記式の解であるｋｔｘと、ｋｂ１ｘおよびｋｂ２ｘは、ｋｔｘ＞ｋｂ１ｘとｋｔｘ＞ｋｂ２ｘの少なくとも一方の関係にある請求項１または２に記載の衣料。
【請求項４】
前記第１の生地と前記第２の生地の少なくとも一方は、複数の編み組織を有している請求項１〜３のいずれか一項に記載の衣料。
【請求項５】
着用時に肘部に位置する部分に、袖の長手方向に直交する方向の伸び率よりも前記袖の長手方向の伸び率が大きい長手直交方向伸張部を有しており、
前記長手直交方向伸張部の、前記袖の長手方向の上下両側に、前記袖の長手方向の伸び率よりも前記袖の長手方向に直交する方向の伸び率が大きい長手方向伸張部を有している請求項１〜４のいずれか一項に記載の衣料。
【請求項６】
袖筒を有しており、
前記袖筒は、リブ編み部を含み、
前記リブ編み部の畦の長手方向は、前記袖筒の軸方向に非平行となっている請求項５に記載の衣料。
【請求項７】
前記第１の生地および前記第２の生地の厚みは、それぞれ０．５ｍｍ以上１０ｍｍ以下である請求項１〜６のいずれか一項に記載の衣料。
【請求項８】
前記第１の生地と前記第２の生地は、溶着により接合されており、
当該接合部分に前記帯状部材が貼付されている請求項１〜７のいずれか一項に記載の衣料。